(57)【特許請求の範囲】
【請求項１】
カード型記憶媒体を挿入するためのカード挿入口と、
前記カード挿入口から挿入されるカード型記憶媒体を受け入れ、当該カード型記憶媒体によって、前記カード挿入口に接近した前端位置から、当該カード挿入口から離れた後端位置に押し込み可能なカードホルダと、
前記カードホルダを前記前端位置に向けて付勢しているホルダ付勢部材と、
前記カードホルダを前記後端位置にロックするためのホルダロック部材と、
前記ホルダロック部材をロック位置およびロック解除位置に旋回させる駆動機構と、
前記ホルダロック部材に形成した係止爪と、
前記カードホルダに形成した保持面と、
前記カード挿入口の一部を封鎖する引抜防止位置、および、当該引抜防止位置から退避した退避位置に旋回可能な引抜防止シャッタと、
前記引抜防止シャッタを前記引抜防止位置側から前記退避位置側へ付勢しているシャッタ付勢部材と、を備え、
前記カードホルダが前記前端位置から前記後端位置に至る直前までの区間を移動している間は、前記係止爪が前記保持面に係合状態に保持されて前記ホルダロック部材の旋回が阻止され、前記カードホルダが前記後端位置に到達すると、前記係止爪が前記保持面から外れて、前記ホルダロック部材の旋回が可能になり、
前記ホルダロック部材は前記引抜防止シャッタに係合可能なシャッタ押圧面を有し、
前記シャッタ押圧面は、前記ホルダロック部材が前記ロック解除位置から前記ロック位置へ旋回する間に前記シャッタ付勢部材の付勢力に逆らって前記引抜防止シャッタを前記退避位置から前記引抜防止位置に旋回させ、前記ホルダロック部材が前記ロック位置にある状態では前記引抜防止シャッタを引抜防止位置に保持することを特徴とするカードリーダライタ。
【請求項２】
前記シャッタ付勢部材は、ばね部材である請求項１に記載のカードリーダライタ。
【発明の詳細な説明】
【技術分野】
【０００１】
本発明は、遊技媒体の貸し出し処理をカード型記憶媒体を用いたプリペイド方式により行う場合などに用いられるカードリーダライタに関するものである。
【背景技術】
【０００２】
ＩＣメモリチップが内蔵されたＩＣカードを用いてプリペイド方式により遊技媒体の貸し出し処理を行うことのできる遊技台用台間機が知られている。かかる遊技台用台間機では、ＩＣカードに対して情報の読み書き処理を行うためのカードリーダライタが組み込まれており、例えば、利用者が紙幣などの金銭を投入すると、カードリーダライタによって投入金額がＩＣカードに書き込まれた後に、当該ＩＣカードが発行されるようになっている。
【０００３】
本願出願人は、特許文献１において、利用者によってカード出入口に挿入されたＩＣカード等のカード型記憶媒体を、カードリーダライタの内部に自動で挿入したり、カードリーダライタから自動で排出したりするためのカード自動搬送機構を備えたカードリーダライタを提案している。このカードリーダライタは、不用意なカードの引き抜きを防止するためのカード引き抜き防止機構を備えている。
【０００４】
特許文献１のカードリーダライタにおけるカード引き抜き防止機構は、カード自動搬送機構に連動して作動する。具体的には、カード出入口から挿入されたＩＣカード等がカードホルダに保持されてカードホルダごとカードリーダライタの奥にある後退位置に搬送されると、ホルダロック部材が作動してカードホルダが後退位置にロックされる。一方、カードホルダに形成されたカム溝には、カード出入口に設けられたシャッタ部材のスライドピンが係合している。従って、カードホルダの移動に連動してシャッタ部材が作動し、カードホルダが後退位置でロックされたときにはシャッタ部材が閉鎖姿勢になる。また、このシャッタ部材は、閉鎖姿勢になったときに、ホルダロック部材の端部によって開方向に動かないようにロックされる。従って、カード自動搬送機構によってカードホルダが作動しない限りはシャッタが開かず、ＩＣカード等を不用意にあるいは強引に引き抜くことができないようになっている。
【特許文献１】特開２００７−１７２０３３号公報
【発明の開示】
【発明が解決しようとする課題】
【０００５】
しかしながら、特許文献１の構成では、カム溝とスライドピンを設けたために構成が複雑になっており、カードリーダライタを十分にコンパクト化できないという問題点があった。また、ＩＣカード等が完全に挿入完了位置に到達する前にカム溝内をスライドピンが作動し始めるので、ＩＣカード等の挿入が完了する前にシャッタ部材の閉動作が一部始まっており、この時点でシャッタ部材が不安定な状態になっていた。
【０００６】
また、特許文献１の構成では、カードホルダにカム溝が形成されており、シャッタ部材の動きがカードホルダの直線運動に直接連動しているために、シャッタ部材の駆動タイミングが、カードの寸法のばらつきや、カム溝あるいはスライドピンなどの機構部分の寸法のばらつきによって影響を受けてしまう可能性があった。従って、カードを完全にカード出入口の内側に搬送し終わるタイミングとシャッタの作動タイミングとの間に十分な動作余裕がなくなる恐れがあり、カードがシャッタに接触してしまう恐れがあった。カードとシャッタの接触をなくすためには、カードの挿入距離を長くしてシャッタの遊びを増やすことで対処できるが、そのようにするとカードリーダライタが大型化してしまうという問題点があった。
【０００７】
本発明の課題は、このような点に鑑みて、挿入されているカードが不用意に引き抜かれてしまうことを確実に防止可能で、且つ、信頼性が高く安定した動作が可能な簡素な構成の機構を備えており、手動操作によってカードの挿入を行う小型でコンパクトなカードリーダライタを提案することにある。
【課題を解決するための手段】
【０００８】
上記の課題を解決するために、本発明のカードリーダライタは、
カード型記憶媒体を挿入するためのカード挿入口と、
前記カード挿入口から挿入されるカード型記憶媒体を受け入れ、当該カード型記憶媒体によって、前記カード挿入口に接近した前端位置から、当該カード挿入口から離れた後端位置に押し込み可能なカードホルダと、
前記カードホルダを前記前端位置に向けて付勢しているホルダ付勢部材と、
前記カードホルダを前記後端位置にロックするためのホルダロック部材と、
前記ホルダロック部材をロック位置およびロック解除位置に旋回させる駆動機構と、
前記ホルダロック部材に形成した係止爪と、
前記カードホルダに形成した保持面と、
前記カード挿入口の一部を封鎖する引抜防止位置、および、当該引抜防止位置から退避した退避位置に旋回可能な引抜防止シャッタと、
前記引抜防止シャッタを前記引抜防止位置側から前記退避位置側へ付勢しているシャッタ付勢部材と、を備え、
前記カードホルダが前記前端位置から前記後端位置に至る直前までの区間を移動している間は、前記係止爪が前記保持面に係合状態に保持されて前記ホルダロック部材の旋回が阻止され、前記カードホルダが前記後端位置に到達すると、前記係止爪が前記保持面から外れて、前記ホルダロック部材の旋回が可能になり、
前記ホルダロック部材は前記引抜防止シャッタに係合可能なシャッタ押圧面を有し、
前記シャッタ押圧面は、前記ホルダロック部材が前記ロック解除位置から前記ロック位置へ旋回する間に前記シャッタ付勢部材の付勢力に逆らって前記引抜防止シャッタを前記退避位置から前記引抜防止位置に旋回させ、前記ホルダロック部材が前記ロック位置にある状態では前記引抜防止シャッタを引抜防止位置に保持することを特徴とする。
【０００９】
本発明のカードリーダライタでは、このような構成により、カード挿入口からカード型記憶媒体を挿入して押し込むと、当該カード型記憶媒体を受け入れたカードホルダがカード型記憶媒体と共に押し込まれて、その後端位置まで移動する。カードホルダが後端位置まで移動すると、駆動機構によってホルダロック部材がロック位置に移動してカードホルダを後端位置にロックすることができる。また、引抜防止シャッタを引抜防止位置に移動させて保持することができるので、挿入されたカードの不用意な引き抜きを確実に防止することができる。
【００１０】
また、本発明では、引抜防止シャッタを引抜防止位置側に押圧して移動させるための機構を、ホルダロック部材を用いて構成してあるので、カードリーダライタの小型・コンパクト化および部品点数削減に有利である。また、カードホルダが後端位置に到達する直前までホルダロック部材がロック解除位置に保持されており、引抜防止シャッタの引抜防止位置への移動は、ホルダロック部材によるロック動作が開始してから行われる。従って、カードホルダが後端位置に到達してＩＣカード等がカード挿入口の内側に完全に収納される前に引抜防止シャッタが閉まることがなく、カード搬送中に引抜防止シャッタが作動し始めるという不安定な状態を防止することができる。よって、カード型記憶媒体が引抜防止シャッタに接触しないようにすることができる。これにより、カードリーダライタを安定して動作させることができ、信頼性の高いカードリーダライタを提供できる。
【００１１】
本発明において、前記引抜防止シャッタを前記引抜防止位置側から前記退避位置側へ付勢するシャッタ付勢部材を備え、前記シャッタ押圧面は、前記引抜防止シャッタを前記シャッタ付勢部材の付勢力に逆らって前記引抜防止位置に押し込むように構成されている。引抜防止シャッタは、引抜防止位置においてシャッタ押圧面に押し付けられた状態でガタ付き無く保持されるので、強引にカード型記憶媒体が引き抜かれようとした場合に、引き抜きを確実に阻止できる。一方、引抜防止シャッタを開けるときには、ホルダロック部材をロック位置からロック解除位置に移動させるだけで、シャッタ付勢部材の付勢力により、引抜防止シャッタを退避位置に自動で復帰させることができる。
【００１２】
本発明において、前記引抜防止シャッタは、前記引抜防止位置と前記退避位置との間を旋回可能であり、前記シャッタ付勢部材は、ばね部材であるとよい。引抜防止シャッタを旋回させることにより、引抜防止シャッタを開閉する機構を簡易な構成にすることができる。また、ばね部材を用いることにより、簡易な構成で引抜防止シャッタを付勢することができる。
【００１３】
本発明において、前記ホルダロック部材は、前記ロック位置と前記ロック解除位置との間を旋回可能であり、前記保持機構は、前記ホルダロック部材に形成した係止爪と、前記カードホルダに形成した保持面とを有し、前記カードホルダが前記前端位置から前記後端位置に至る直前までの区間を移動している間は、前記係止爪が前記保持面に係合状態に保持されて前記ホルダロック部材の旋回が阻止され、前記カードホルダが前記後端位置に到達すると、前記係止爪が前記保持面から外れて、前記ホルダロック部材の旋回が可能になるように構成されている。
【００１４】
このように、本発明では、カードホルダが後端位置まで到達したときにはじめて係止爪が保持面による保持状態から外れてホルダロック部材が旋回可能になるので、この旋回動作に基づいて開始される引抜防止シャッタの閉動作は、カードホルダが後端位置に到達する前には開始しない。また、カードホルダのロックを解除するためには、ホルダロック部材をロック時とは逆方向に旋回させなければならないので、この旋回動作により、ロック解除前に確実にシャッタが開く。よって、カード型記憶媒体とシャッタとの接触を確実に防止することができる。
【発明の効果】
【００１５】
本発明のカードリーダライタでは、ホルダロック部材によってカードホルダを後端位置にロックすることができる。また、挿入されたカードの引き抜きを防止するための引抜防止シャッタを引抜防止位置に保持する機構を、ホルダロック部材を用いて構成してある。従って、少ない部品点数で、且つ、コンパクトな構成で、挿入されたカードが不用意に引き抜かれてしまうことを確実に防止できる。また、また、カードホルダが後端位置に到達する直前までホルダロック部材がロック解除位置に保持されており、引抜防止シャッタの引抜防止位置への移動は、ホルダロック部材によるロック動作が開始してから行われるので、カードホルダが後端位置に到達してＩＣカード等がカード挿入口の内側に完全に収納される前に引抜防止シャッタが閉まることがない。よって、カード型記憶媒体が引抜防止シャッタに接触しないようにすることができ、カードリーダライタを安定して動作させることができる。
【発明を実施するための最良の形態】
【００１６】
以下に、図面を参照して、本発明の実施の形態に係るＩＣカードリーダライタの実施の形態を説明する。なお、ＩＣカード以外の磁気カードなどのカード型記憶媒体のカードリーダライタに対しても本発明を同様に適用可能なことは勿論である。
【００１７】
（構成の説明）
図１はＩＣカードリーダライタ１を示す縦断面図、そのｂ−ｂ線で切断した部分の横断面図および、矢印ｃの方向から見た場合の側面図である。ＩＣカードリーダライタ１は扁平な矩形のケース２を備え、この内部に各構成部品が組み付けられている。ケース２の前端面３にはカード挿入口４が形成されている。前端面３は、その上端部分および下端部分が前方に突出した段状の面とされており、この面に沿って一定幅のカード挿入口４が開いている。すなわち、ＩＣカード１０の挿入を確実に行うことができるように、カード挿入口４が形成されている前端面３における上下方向の中央部分がカード挿入方向に凹状となっている。
【００１８】
ケース２の内部には、カード挿入口４から挿入されるＩＣカード１０を受け入れ可能なカードホルダ２０が配置されている。このカードホルダ２０は、ケース２内を、前端位置から後端位置までの間で、前後方向にスライド可能である。カードホルダ２０は、ＩＣカード１０を受け入れる本体板部分２１と、この本体板部分２１の後端に形成された直角に折れ曲がっているカード係合用の端板部分２２と、本体板部分２１の上端の前後に形成されたスライド突起２３および２４と、本体板部分２１の下端に形成したスライド突起２５および２６と、本体板部分２１と平行に配置されたカードスライダ２７と、を備えている。ケース２には、スライド突起２３、２４をガイドするガイドレール５、６およびスライド突起２５、２６をガイドするガイドレール７、８が形成されている。
【００１９】
カードスライダ２７の後端には、端板部分２２の上端部が嵌合する嵌合部２７ａが形成されている。また、カードスライダ２７の下端には案内溝部２７ｂが形成されている。この案内溝部２７ｂは、ケース２の前後に延びるガイドレール９にスライド可能に係合されている。従って、カードスライダ２７は、本体板部分２１および端板部分２２等と一体になってケース２の前後方向にスライドする。
【００２０】
カードホルダ２０とケース２の間には、前後方向に水平に延びる引張りコイルばね２８が架け渡されている。カード挿入口４からＩＣカード１０を挿入すると、引張りコイルばね２８を伸長させながらカードホルダ２０を後方に押し込むことができる。
【００２１】
カードホルダ２０の後方には、カードホルダ２０をケース後端側の位置にロックするためのホルダロック機構３０が組み込まれている。ホルダロック機構３０は、後端の支軸３０ａを中心として上下方向に旋回可能なカードロックレバー３１(ホルダロック部材)と、このカードロックレバー３１を上下に旋回させるためのソレノイド３２(駆動機構)と、カードホルダ２０の側に形成された係合爪２９を備えている。係合爪２９はカードスライダ２７に形成されている。カードロックレバー３１は支軸３０ａからケース前端側に向かって延びており、その先端と支軸３０ａとのほぼ中間の位置に、下向きのフック３１ａ（係止爪）が形成されている。
【００２２】
カードホルダ２０が前端位置にあるときは、カードロックレバー３１はソレノイド３２の復帰ばね力によって係合爪２９側に付勢されているが、係合爪２９の上端面２９ａ（保持面）にフック３１ａの先端が押し付けられているので、ロック解除位置に保持されている（図１（ａ）参照）。一方、カードホルダ２０が後方に押し込まれると、フック３１ａが係合爪２９の上端面２９ａから前側に落ち込み、当該係合爪２９に前方から係合した状態になる（図３（ａ）参照）。つまり、カードホルダ２０がフック３１ａによって係止され、カードホルダ２０の前方への移動が阻止されたロック状態になる。
【００２３】
カードロックレバー３１にはフック３１ａに隣接してストッパ面３１ｄが形成されており、このストッパ面３１ｄが上端面２９ａに当接した位置でカードロックレバー３１の旋回が停止し、ロック動作が完了するようになっている。ロック状態においてソレノイド３２を励磁すると、カードロックレバー３１が上方に旋回して係合爪２９とフック３１ａとの係合が解除され、ロック状態が解除される。この結果、カードホルダ２０は引張りコイルばね２８のばね力によって前端位置に復帰する。
【００２４】
カード挿入口４が形成されているケース前端面３の下端部分には、引抜防止シャッタ４０が配置されている。引抜防止シャッタ４０は、挿入されたＩＣカード１０が不用意に引き抜かれてしまうことを防止するためのものである。
【００２５】
図４はＩＣカードリーダライタ１の内部の主要部分を示す斜視図であり、（ａ）はＩＣカード１０が挿入される前の状態であり、（ｂ）はＩＣカード１０が完全に挿入された後のロック状態である。図１および図４を参照して説明すると、引抜防止シャッタ４０は、ケース２に垂直に取り付けた支軸４１を中心として左右に旋回可能な状態で支持されている。引抜防止シャッタ４０の前端部分はカード挿入口４の側に湾曲している引抜防止爪４２となっている。引抜防止爪４２の支軸４１寄りの部位には、下方向きの係合ピン４２ａが形成されている。また、引抜防止シャッタ４０における支軸４１の後側の部位には、上方向きに延びる突起部４３が形成されている。
【００２６】
係合ピン４２ａは、引抜防止爪４２の下方に取り付けられたばね４４における２本のばね足の一方に係合している。ばね４４は、２本のばね足がケース２の後端方向を向くように配置されており、もう一方のばね足は、係合ピン４２ａよりもカード挿入口４寄りの位置においてケース２の内部に固定されている。従って、引抜防止爪４２は、ばね４４の付勢力により、その湾曲した先端部分をカード挿入口４から退避させる方向（図４（ａ）における矢印Ａの方向）に付勢されている。すなわち、引抜防止シャッタ４０は、ばね４４の付勢力によってカード挿入口４から退避している位置（退避位置）に移動可能である。ばね４４の付勢力は、引抜防止シャッタ４０を退避位置に戻すことが可能な強さであればよい。
【００２７】
ここで、カードロックレバー３１の先端部には、引抜防止シャッタ４０を押圧して引抜防止位置に移動させ、引抜防止位置にロックするためのシャッタ駆動用突起３１ｂが形成されている。シャッタ駆動用突起３１ｂはカードロックレバー３１の先端部から下向きに延びており、引抜防止シャッタ４０の突起部４３と対峙している。シャッタ駆動用突起３１ｂの先端と突起部４３の先端には、それぞれ、対峙方向に対して同じ方向に傾いたテーパ面であるシャッタ押圧面３１ｃと被押圧面４３ａが形成されている。
【００２８】
シャッタ駆動用突起３１ｂは、カードロックレバー３１の旋回に伴って旋回する。その旋回軌跡は、引抜防止シャッタ４０における被押圧面４３ａとケース２の側面部分２ｂとの隙間に向かってシャッタ押圧面３１ｃを移動させるように設定されている。カードホルダ２０が前端位置にある状態（カード挿入待ち状態）では、被押圧面４３ａとケース２の側面部分２ｂとの隙間にシャッタ押圧面３１ｃの先端部分が入り込んでおり、シャッタ押圧面３１ｃの先端部分と被押圧面４３ａの先端部分の間にわずかな隙間がある状態になっている。カードロックレバー３１が旋回してロック位置に移動するロック動作を開始すると、シャッタ押圧面３１ｃが被押圧面４３ａに当接し、被押圧面４３ａに沿ってスライドする。これにより、シャッタ駆動用突起３１ｂを被押圧面４３ａとケース２の側面部分２ｂとの隙間にスムーズに進入させることができる。
【００２９】
被押圧面４３ａは、さらにカードロックレバー３１が旋回することにより、シャッタ押圧面３１ｃによって押圧される。これにより、引抜防止シャッタ４０全体が支軸４１を中心として回転し、その前端側の引抜防止爪４２が内側に旋回する。これにより、引抜防止爪４２は、カード挿入口４の下端部分の内側位置において、その幅方向に跨った引抜防止位置に位置決めされる。このようにすると、完全に挿入されたＩＣカード１０の後端面の下端部分に、引抜防止位置に位置決めされた引抜防止爪４２が後側から当接した状態になる。この結果、ＩＣカード１０が不用意に引き抜かれてしまうことが防止される。
【００３０】
引抜防止シャッタ４０は、支軸４１を中心として引抜防止位置側に回転している間、ばね４４の付勢力によってシャッタ駆動用突起３１ｂのシャッタ押圧面３１ｃに被押圧面４３ａが押し付けられている。従って、引抜防止シャッタ４０は、退避位置から引抜防止位置までガタ付き無く移動する。また、引抜防止位置に到達した状態においても、シャッタ駆動用突起３１ｂによってガタ付き無く保持され、引抜防止位置に位置決めされている。
【００３１】
（動作の説明）
次に、図１ないし図４を参照して、このように構成した本例のＩＣカードリーダライタ１におけるカード挿入時の各部の動作を説明する。
【００３２】
まず、カード挿入口４にＩＣカード１０を挿入していくと、図１および図４（ａ）に示すように、ＩＣカード１０の端部がカードホルダ２０の端板部分２２に当たる。この後は、ＩＣカード１０を押し込むと、図２に示すように、当該ＩＣカード１０がカードホルダ２０と共に後方に押し込まれる。このとき、フック３１ａの先端は係合爪２９の上端面２９ａに当接して保持されたまま、上端面２９ａに沿ってスライドする。
【００３３】
ＩＣカード１０と共にカードホルダ２０が後方に押し込まれて、その後端位置に至ると、フック３１ａの先端が上端面２９ａの前端の角部に至り、係合爪２９の前方において下方に向かって落ち込み開始し、ロック動作が開始される。フック３１ａが下方に落ち込むにつれてカードロックレバー３１が旋回し、シャッタ駆動用突起３１ｂが下降する。それと共に、カードロックレバー３１の先端のシャッタ押圧面３１ｃが引抜防止シャッタ４０の被押圧面４３ａに当接し、ばね４４の付勢力に逆らって引抜防止シャッタ４０を退避位置から引抜防止位置に向かって移動開始させる。
【００３４】
そして、さらにカードロックレバー３１が旋回することにより、カードロックレバー３１がロック位置に到り、ストッパ面３１ｄが上端面２９ａに当接してカードロックレバー３１の旋回が止まる（図３および図４（ｂ）参照）。このとき、フック３１ａは係合爪２９に前側から係合して、カードホルダ２０のロック状態が形成される。
【００３５】
このとき、同時に引抜防止シャッタ４０が引抜防止位置に至り、ＩＣカード１０の後端面の下端部分に後側から当接した状態で、カード挿入口４を遮蔽する。ここで、引抜防止シャッタ４０は、ばね４４によって退避位置側に付勢されているので、その突起部４３の先端の被押圧面４３ａがシャッタ駆動用突起３１ｂのシャッタ押圧面３１ｃによって押圧された状態が形成される。よって、引抜防止シャッタ４０は、ガタ付き無く、その引抜防止位置に位置決めされ、当該位置にロックされた状態が形成される。よって、ＩＣカード１０が不用意に引き抜かれてしまう事態を確実に防止できる。
【００３６】
このようにしてＩＣカード１０が挿入された状態で、ＩＣカード１０に埋め込まれている非接触型ＩＣチップに対する記憶情報の読み出し、および情報の書き込みが行われる。カード返却指令があると、ソレノイド３２が励磁され、カードロックレバー３１が上方に押し上げられ、フック３１ａと係合爪２９の係合が解除されてカードホルダ２０のロックが解除される。カードロックレバー３１が押し上げられると、その先端のシャッタ駆動用突起３１ｂが引抜防止シャッタ４０から外れて、当該引抜防止シャッタ４０のロックも同時に解除される。
【００３７】
この結果、引張りコイルばね２８のばね力によって、ＩＣカード１０が保持されているカードホルダ２０が前方位置に向けて押し出される。また、ばね４４の付勢力によって引抜防止シャッタ４０が退避位置に向けて旋回する。このように、カード挿入時とは逆の動作が行われて、ＩＣカード１０の後端部がカード挿入口４から突出した状態に戻る。
【００３８】
（本実施形態の効果）
以上説明したように、本実施形態のＩＣカードリーダライタ１では、挿入されるＩＣカード１０と共に押し込まれるカードホルダ２０を後端位置にロックするためのカードロックレバー３１にシャッタ駆動用突起３１ｂを形成しており、カードホルダ２０が後端位置まで押し込まれたところでカードホルダ２０とカードロックレバー３１との係合動作（ロック動作）が開始する。そして、この係合動作に基づいてシャッタ駆動用突起３１ｂが旋回し、引抜防止シャッタ４０を駆動している。
【００３９】
カードロックレバー３１は、カードホルダ２０が後端位置に到達する直前までロック解除位置に保持されているので、引抜防止シャッタ４０の引抜防止位置への移動は、カードロックレバー３１によるロック動作が開始してから行われる。従って、カードホルダ２０が後端位置に到達する前、すなわち、ＩＣカード１０がカード挿入口４の内側に完全に収納される前に引抜防止シャッタ４０が閉まることがない。また、カードホルダ２０のロック解除においては、カードロックレバー３１がロック解除位置に戻ったときには、引抜防止シャッタ４０がばね４４の付勢力によって自動的に退避位置に戻っているので、引抜防止シャッタ４０が開く前にＩＣカード１０の排出が行われることがない。よって、カード型記憶媒体１０と引抜防止シャッタ４０との接触を防止することができるので、ＩＣカードリーダライタ１を安定して動作させることができ、信頼性を高めることができる。
【００４０】
また、本実施形態では、引抜防止シャッタ４０をばね４４で引抜防止位置から退避する方向に付勢しているので、引抜防止位置に移動した引抜防止シャッタ４０を、シャッタ駆動用突起３１ｂによって引抜防止位置にガタ付き無く位置決めして、ロックすることができる。したがって、引抜防止シャッタ４０がガタ付いて、ＩＣカード１０が不用意に引き抜かれてしまう事態を確実に防止できる。また、ばね４０の付勢力により、引抜防止シャッタ４０を退避位置に自動で復帰させることができる。
【００４１】
また、本実施形態では、カードホルダ２０をロックするための部材と引抜防止シャッタ４０を駆動するための部材を１つの部材で構成しているので、簡易な構成が実現されており、ＩＣカードリーダライタ１の小型・コンパクト化および部品点数削減に有利である。
【図面の簡単な説明】
【００４２】
【図１】本発明を適用したＩＣカードリーダライタを示す縦断面図、横断面図および側面図である。
【図２】図１のＩＣカードリーダライタにおけるカード挿入途中の状態を示す説明図である。
【図３】図１のＩＣカードリーダライタにおけるカードを挿入し終えた後の状態を示す説明図である。
【図４】図１のＩＣカードリーダライタにおける引抜防止シャッタの開閉動作を説明するための説明図である。
【符号の説明】
【００４３】
１    ＩＣカードリーダライタ
２    ケース
２ｂ  側面部分
３    ケース前端面
４    カード挿入口
５，６，７，８，９  ガイドレール
１０  ＩＣカード（カード型記憶媒体）
２０  カードホルダ
２１  本体板部分
２２  端板部分
２３，２４，２５，２６  スライド突起
２７  カードスライダ
２７ａ  嵌合部
２７ｂ  案内溝部
２８    引張りコイルばね
２９    係合爪
２９ａ  上端面（保持面）
３０    ホルダロック機構
３０ａ  支軸
３１    カードロックレバー（ホルダロック部材）
３１ａ  フック（係止爪）
３１ｂ  シャッタ駆動用突起
３１ｃ  シャッタ押圧面
３１ｄ  ストッパ面
３２    ソレノイド
４０    引抜防止シャッタ
４１    支軸
４２    引抜防止爪
４２ａ  係合ピン
４３    突起部
４３ａ  被押圧面
４４    ばね（付勢部材）
【図１】
0005101228.tif 000002
【図２】
0005101228.tif 000003
【図３】
0005101228.tif 000004
【図４】
0005101228.tif 000005